(57)【要約】【課題】スピーカユニット群を複数配置しても、各スピーカユニット群による振動が他のスピーカユニット群に与える影響を抑えられるようにする。【解決手段】第１バッフル３０においては、スピーカユニットが第１バッフル３０に固定される。また、第２バッフル４０においても、スピーカユニットが第２バッフル４０に固定される。また、第１バッフル３０においては、段差部３３に振動吸収部材５０が載せられ、振動吸収部材５０の上にスピーカユニットが固定された第２バッフル４０が載せられる。そして、前面側から第２バッフル４０および振動吸収部材５０の四隅が第１バッフル３０にネジ留めされ、第１バッフル３０と第２バッフル４０との間に振動吸収部材５０を挟んで、第２バッフル４０と振動吸収部材５０が第１バッフル３０に固定される。【選択図】図２
2009089261.tif 000002
【特許請求の範囲】
【請求項１】
複数のスピーカユニットが固定されたバッフルを複数備えたスピーカアレイであって、
各バッフルに固定されたスピーカユニットはバッフル毎に種類が異なり、
前記各バッフルは、少なくとも他の一つのバッフルに隣接し、隣接するバッフルとの間に振動を吸収する振動吸収部材を有する
スピーカアレイ。
【請求項２】
第１周波数帯域の音を再生するスピーカユニットが固定された第２バッフルと、
前記第１周波数帯域より低い周波数を含む第２周波数帯域の音を再生するスピーカユニットが固定された環状の第１バッフルとを有し、
環状の前記第１バッフルの内側に前記第２バッフルがあること
を特徴とする請求項１に記載のスピーカアレイ。
【請求項３】
前記複数のスピーカユニットが同一平面上にあることを特徴とする請求項１または請求項２に記載のスピーカアレイ。
【請求項４】
前記振動吸収部材は、隣接するバッフルの間を密閉していることを特徴とする請求項１乃至請求項３のいずれかに記載のスピーカアレイ。
【発明の詳細な説明】
【技術分野】
【０００１】
本発明は、スピーカユニットを複数有するスピーカアレイに関する。
【背景技術】
【０００２】
再生周波数帯域を複数に分け、再生周波数帯域毎にスピーカユニットを纏めて並べるスピーカアレイとして、例えば特許文献１に開示されたスピーカアレイがある。このスピーカアレイは、口径の小さな高音域用のスピーカユニットを複数直線状に配置しつつ、口径の大きな低音域用のスピーカユニットを複数直線状に配置している。
単一の口径のスピーカユニットを並べてスピーカアレイを構成する場合、再生する音の周波数帯域を広くするために各スピーカユニットの再生周波数帯域を広くする必要があり、スピーカユニットのコストが高くなるという問題が生じる。しかしながら、特許文献１に開示されたスピーカアレイによれば、再生周波数帯域毎にスピーカユニットを異ならせるため、スピーカユニットにおいて、低音域から高音域まで再生周波数帯域を広くする必要がなく、同じ口径のスピーカユニットを配列して低音域から高音域まで再生する構成と比較して、スピーカユニットのコストを抑え、ひいてはスピーカアレイ全体のコストを抑えることが可能となっている。
【０００３】
【特許文献１】特開２００６−６７３０１号公報
【発明の開示】
【発明が解決しようとする課題】
【０００４】
ところで、特許文献１に開示されたスピーカアレイにおいては、口径の異なるスピーカユニットが、一つのバッフルに複数取り付けられている。このように、口径や出力する音の周波数が異なるスピーカユニットが同じバッフルに取り付けられていると、例えば、口径の大きなスピーカユニット群の発音時の振動が、口径の小さなスピーカユニット群に容易に伝わり、口径の小さなスピーカユニットが再生する音に影響を与えてしまうおそれがある。
【０００５】
本発明は、上述した背景の下になされたものであり、スピーカユニット群を複数配置しても、各スピーカユニット群による振動が他のスピーカユニット群に与える影響を抑える
技術を提供することを目的とする。
【課題を解決するための手段】
【０００６】
上述した課題を解決するために本発明は、複数のスピーカユニットが固定されたバッフルを複数備えたスピーカアレイであって、各バッフルに固定されたスピーカユニットはバッフル毎に種類が異なり、前記各バッフルは、少なくとも他の一つのバッフルに隣接し、隣接するバッフルとの間に振動を吸収する振動吸収部材を有するスピーカアレイを提供する。
【０００７】
本発明においては、第１周波数帯域の音を再生するスピーカユニットが固定された第２バッフルと、前記第１周波数帯域より低い周波数を含む第２周波数帯域の音を再生するスピーカユニットが固定された環状の第２バッフルとを有し、環状の前記第１バッフルの内側に前記第２バッフルがあってもよい。
また、本発明においては、前記複数のスピーカユニットが同一平面上にあってもよい。
また、本発明においては、前記振動吸収部材は、隣接するバッフルの間を密閉していてもよい。
【発明の効果】
【０００８】
本発明によれば、スピーカユニット群を複数配置しても、各スピーカユニット群による振動が他のスピーカユニット群に与える影響を抑えることができる。
【発明を実施するための最良の形態】
【０００９】
図１は、本発明の一実施形態に係るスピーカアレイ１の外観図である。図１に示したように、スピーカアレイ１は、第１スピーカユニット群を形成する１２個の第１スピーカユニット１０と、第２スピーカユニット群を形成する２４個の第２スピーカユニット２０とを備えたスピーカアレイである。
【００１０】
（各部の構成）
まず、各スピーカユニットについて説明する。第１スピーカユニット１０は、低音域から高音域までの音を再生するスピーカユニットであり、バッフルに固定するためのネジ孔を有している。
また、第２スピーカユニット２０は、中音域から高音域までの音を再生するスピーカユニットであり、バッフルに固定するためのネジ孔を有している。なお、本実施形態においては、第２スピーカユニット１０の口径は、第１スピーカユニット１０の口径より小となっている。
【００１１】
次に、バッフル部分について、図２に示したバッフル部分の分解図を基に説明する。環状の第１バッフル３０は、第１スピーカユニット１０が取り付けられる板状の部材である。第１バッフル３０は木材で形成されており、第１スピーカユニット１０が嵌められる位置に孔３１が設けられ、孔３１の周囲には第１スピーカユニット１０をネジ留めするためのネジ孔３２が設けられている。また、第１バッフル３０の中央部には、矩形の孔３３が設けられており、孔３３の外側には第１バッフル３０の表面から所定の深さまで枠形に段差部３４が設けられている。
また、第２バッフル４０は、第２スピーカユニット２０が取り付けられる板状の部材である。第２バッフル４０は鉄で形成されており、第２スピーカユニット２０が嵌められる位置に孔４１が設けられ、孔４１の周囲には第２スピーカユニット２０をネジ留めするためのネジ孔４２が設けられている。また、第２バッフル４０の四隅には、第２バッフル４０を第１バッフル３０にネジ留めするためのネジ孔４３が設けられている。
【００１２】
振動吸収部材５０は、ウレタンフォームまたはゴムなど、振動を吸収する素材を薄く枠形に形成したものである。振動吸収部材５０は、中央部分に矩形の孔５１を有し、縦幅は第２バッフル４０の縦幅より数ｍｍほど広く、横幅も第２バッフル４０の横幅より数ｍｍほど広くなっている。また、孔５１の縦幅と、第１バッフル３０の孔３２の縦幅は同じとなっており、孔５１の横幅と、第１バッフル３０の孔３３の横幅も同じとなっている。また、振動吸収部材５０の一辺の短手方向の幅は、段差部３４の一辺の短手方向の幅と同じとなっている。
【００１３】
次に、スピーカアレイ１の筐体は、天板６１、底板６２、側板６３Ａ，６３Ｂ、および背面板６４で構成されており、背面板６４には、各スピーカユニットに供給するオーディオ信号が入力される端子（図示略）が設けられている。なお、本実施形態においては、天板６１、底板６２、側板６３Ａ，６３Ｂ、および背面板６４は木材で形成されている。
【００１４】
（スピーカアレイ１の構成）
スピーカアレイ１においては、天板６１、底板６２および側板６３Ａ，６３Ｂが接合され、天板６１、底板６２および側板６３Ａ，６３Ｂが枠形に組まれる。
また、第１バッフル３０においては、１２個の孔３１の各々に第１スピーカユニット１０が嵌められ、各第１スピーカユニット１０がネジ１１により第１バッフル３０に固定され、第１スピーカユニット１０が第１バッフル３０に環状に配置される。また、第２バッフル４０においても、２４個の孔４１の各々に第２スピーカユニット１０が嵌められ、各第２スピーカユニット１０がネジ１１により第２バッフル４０に固定される。
【００１５】
また、第１バッフル３０においては、段差部３４に振動吸収部材５０が載せられ、振動吸収部材５０の上に第２スピーカユニット２０が固定された第２バッフル４０が載せられる。そして、前面側から第２バッフル４０および振動吸収部材５０の四隅が第１バッフル３０にネジ３５で留められ、第１バッフル３０と第２バッフル４０との間に振動吸収部材５０を挟んで、第２バッフル４０と振動吸収部材５０が第１バッフル３０に固定される。
図３は、図１のＡ−Ａ断面矢視図である。なお、図３においては、図面が煩雑になるのを防ぐために、第１スピーカユニット１０と第２スピーカユニット２０の図示を省略し、天板６１、底板６２、背面板６４、第１バッフル３０、第２バッフル４０および振動吸収部材５０のみを図示している。図３に示したように、振動吸収部材５０を挟んで第２バッフル４０が第１バッフル３０に固定されると、第１バッフル３０の表面と第２バッフル４０の表面は段差が無く、同一平面上に位置することとなる。そして、第１バッフル３０の表面と第２バッフル４０の表面とが同一平面上に位置すると、第１スピーカユニット１０と第２スピーカユニット１０も同一平面上に配列されることとなる。
【００１６】
次に、第２バッフル４０と振動吸収部材５０とが固定された第１バッフル３０は、枠型に接合された天板６１、底板６２および側板６３Ａ，６３Ｂの前面側に固定される。そして、各スピーカユニットと、背面板６４に設けられた端子とが接続された後、背面板６４が枠型に接合された天板６１、底板６２および側板６３Ａ，６３Ｂの背面側に固定される。
【００１７】
このように、第１スピーカユニット群と第２スピーカユニット群とが各々異なるバッフルに固定されている本実施形態においては、第１スピーカユニット群がある第１バッフル３０と第２スピーカユニット群がある第２バッフル４０との間には、振動吸収部材５０があるため、第１スピーカユニット群（１２個の第１スピーカユニット１０）がオーディオ信号を再生したことにより生じる振動は振動吸収部材５０で吸収され、第２スピーカユニット群（２４個の第２スピーカユニット１０）がオーディオ信号を再生したことにより生じる振動も振動吸収部材５０で吸収される。このため、低音域の音を再生する第１スピーカユニット群は、第２スピーカユニット群からの振動の影響が少なく、低音域の音を良好に再生することができる。また、第２スピーカユニット群においても、第１スピーカユニット群からの振動の影響が少なく、音を良好に再生することができる。
【００１８】
また、本実施形態においては、第１バッフル３０と第２バッフル４０の素材が違うため、第１バッフル３０の共振周波数と、第２バッフル４０の共振周波数が異なる。このため、第１バッフル３０と第２バッフル４０とが同時に共振することがなく、第１バッフル３０と第２バッフル４０とが同じ素材である場合と比較して、良好な音を再生することができる。
【００１９】
また、本実施形態においては、第２バッフル４０は第１バッフル３０の前面からネジ留めにより固定されているため、第２スピーカユニット群は第１バッフル３０から容易に取り外すことができる。また、第２バッフル４０においては、第２スピーカユニット２０は、ネジ留めにより第２バッフル４０に固定されているため、第２スピーカユニット２０が故障した際には、第１バッフル３０から取り外された第２バッフル４０において、第２スピーカユニット２０を容易に取り外すことができ、第２スピーカユニット２０を容易に交換することができる。
また、第２バッフル４０が第１バッフル３０から取り外されると、スピーカアレイ１の中央部には、空間が確保される。第１スピーカユニット１０を交換する際には、背面板６４を取り外すが、背面板６４が取り外された際に第２バッフル４０が取り外されていると、スピーカアレイ１内部に空間が確保されているため、第１スピーカユニット１０の交換を容易に行うことができる。
【００２０】
また、本実施形態においては、第２バッフル４０は振動吸収部材５０を挟んで第１バッフル３０に固定され、第１バッフル３０と第２バッフル４０との間は隙間なく密閉され、スピーカアレイ１内部から音が漏れることがない。
【００２１】
［変形例］
以上、本発明の実施形態について説明したが、本発明は上述した実施形態に限定されることなく、他の様々な形態で実施可能である。例えば、上述の実施形態を以下のように変形して本発明を実施してもよい。
【００２２】
振動吸収部材５０の素材は、ウレタンフォーム、ゴムに限定されるものではなく、振動を吸収するのであれば、ゲル状の部材やエラストマなどの高分子化合物であってもよい。
また、第１バッフル３０と第２バッフル４０の素材は、上述した実施形態の素材に限定されるものではない。第１バッフル３０と第２バッフル４０の素材が異なるのであれば、鉄、木材以外の素材で第１バッフル３０と第２バッフル４０とを形成してもよい。なお、第１バッフル３０と第２バッフル４０は素材が異なるのが好ましいが、同じ素材であってもよい。
【００２３】
上述した実施形態においては、スピーカアレイ１は、第１スピーカユニット群と第２スピーカユニット群とを有しているが、スピーカアレイ１が備えるスピーカユニット群の数は、２つに限定されるものではない。
例えば、図４に示したように、スピーカアレイ１は、第１スピーカユニット群を形成する第１スピーカユニット１０と、第２スピーカユニット群を形成する第２スピーカユニット２０と、第３スピーカユニット群を形成する第３スピーカユニット２５とを備えていてもよい。
なお、図４に示したスピーカアレイ１においては、第１スピーカユニットが固定される第１バッフル３０と、第２スピーカユニットが固定される第２バッフル４０Ａと、第３スピーカユニットが固定される第３バッフル７０の素材は各々異なっており、第２バッフル４０Ａは、第１バッフル３０と同様に中央部分に矩形の孔と段差部を有している。
図４に示したスピーカアレイ１においては、第１バッフル３０の中央部に第２バッフル４０Ａが振動吸収部材５０を挟んで固定され、第２バッフル４０Ａの中央部に第３バッフル７０が振動吸収部材５０を挟んで固定される。このため各バッフル間でスピーカユニットからの振動が他のバッフルに伝わるのが抑えられ、良好な音を再生することができる。
なお、図４においては、スピーカユニット群とバッフルが３つとなっているが、スピーカユニット群とバッフルは４つ以上であってもよい。
【００２４】
また、第１スピーカユニット群〜第３スピーカユニット群は、図５に示したように第２スピーカユニット群の一方の側に第１スピーカユニット群を配置し、もう一方の側に第３スピーカユニット群を配置してもよい。そして、図５に示した構成においては、第１スピーカユニット群を有する第１バッフル３０Ａを天板６１と側板６３Ａ，６３Ｂに固定し、第３スピーカユニット群を有する第３バッフル７０Ａを底板６２と側板６３Ａ，６３Ｂに固定し、第２スピーカユニット群を有する第２バッフル４０Ｂを振動吸収部材５０を挟んで第１バッフル３０Ａと第３バッフル７０Ａとに固定してもよい。
【図面の簡単な説明】
【００２５】
【図１】本発明の一実施形態に係るスピーカアレイ１の外観図である。
【図２】スピーカアレイ１のバッフル部分の分解図である。
【図３】図１のＡ−Ａ断面矢視図である。
【図４】本発明の変形例に係るスピーカアレイの外観図である。
【図５】本発明の変形例に係るスピーカアレイの外観図である。
【符号の説明】
【００２６】
１・・・スピーカアレイ、１０・・・第１スピーカユニット、２０・・・第２スピーカユニット、３０・・・第１バッフル、４０，４０Ａ・・・第２バッフル、５０・・・振動吸収部材、６１・・・天板、６２・・・底板、６３Ａ，６３Ｂ・・・側板、６４・・・背面板、７０・・・第３バッフル
【図１】
2009089261.tif 000003
【図２】
2009089261.tif 000004
【図３】
2009089261.tif 000005
【図４】
2009089261.tif 000006
【図５】
2009089261.tif 000007